(57)【要約】【課題】  装飾性、デザイン性に富み、商品性が高く差別化が可能な車両用表示装置を提供する。【解決手段】  車両情報を表示する表示手段２をケース３で覆う車両用表示装置１であって、ケース３は、所定の意匠が形成された表示部７を備えた表皮部８と、表皮部８の裏面を支持する支持体９と、表示手段２を視認可能とするとともに支持体９と一体に形成される透過性窓部５とを備えてなるものである。【選択図】  図２
2008292340.tif 000002
【特許請求の範囲】
【請求項１】
車両情報を表示する表示手段をケースで覆う車両用表示装置であって、前記ケースは、所定の意匠が形成された表示部を備えた表皮部と、前記表皮部の裏面を支持する支持体と、前記表示手段を視認可能とするとともに前記支持体と一体に形成される透過性窓部とを備えてなることを特徴とする車両用表示装置。
【請求項２】
前記透過性窓部に前記表皮部を設け、前記表皮部に光が透過する着色層を設けたことを特徴とする請求項１に記載の車両用表示装置。
【請求項３】
前記着色層の色は暗色であることを特徴とする請求項２に記載の車両用表示装置。
【請求項４】
前記表示部は、目盛、文字および記号のいずれかからなり、前記表示部を前記ケースの背後に設けた光源からの光で透過照明することを特徴とする請求項１に記載の車両用表示装置。
【請求項５】
前記支持体の前記表示部の裏面側に拡散部を設け、前記拡散部の背後に設けた光源からの光で前記拡散部を介して前記表示部を透過照明することを特徴とする請求項１に記載の車両用表示装置。
【発明の詳細な説明】
【技術分野】
【０００１】
本発明は、車両用表示装置に関し、特に、斬新な外装部品を備えた車両用表示装置に関する。
【背景技術】
【０００２】
従来の車両用表示装置としては、特許文献１に開示されているものがある。この車両用表示装置は、車両情報を表示する指針式計器や液晶表示パネルなどの表示手段を外装部品であるケースで収納するものである。このケースは上下２つのケースから構成されており、前記上ケースは前記表示手段を視認可能とする透過性の窓部と、この窓部の外周を覆う不透過性材料で構成される縁部とで構成されている。
【特許文献１】特開２００２−１３９５３号公報
【発明の開示】
【発明が解決しようとする課題】
【０００３】
しかしながら、このような構成を有する車両用表示装置は、前記縁部は装飾性のないものでデザイン性にも乏しく、商品性に劣るとともに差別化が難しいといった問題点があった。
【０００４】
そこで、本発明は、前述した問題点に着目し、装飾性、デザイン性に富み、商品性が高く差別化が可能な車両用表示装置を提供することを目的とする。
【課題を解決するための手段】
【０００５】
本発明は、車両情報を表示する表示手段をケースで覆う車両用表示装置であって、前記ケースは、所定の意匠が形成された表示部を備えた表皮部と、前記表皮部の裏面を支持する支持体と、前記表示手段を視認可能とするとともに前記支持体と一体に形成される透過性窓部とを備えてなるものである。
【０００６】
また、本発明は、前記透過性窓部に前記表皮部を設け、前記表皮部に光が透過する着色層を設けたものである。
【０００７】
また、本発明は、前記着色層の色は暗色である。
【０００８】
また、本発明は、前記表示部は、目盛、文字および記号のいずれかからなり、前記表示部を前記ケースの背後に設けた光源からの光で透過照明するものである。
【０００９】
また、本発明は、前記支持体の前記表示部の裏面側に拡散部を設け、前記拡散部の背後に設けた光源からの光で前記拡散部を介して前記表示部を透過照明するものである。
【発明の効果】
【００１０】
本発明の請求項１に記載した発明によれば、所期の目的を達成でき、装飾性、デザイン性に富み、商品性が高く差別化が可能な車両用表示装置を提供することができる。
【００１１】
また、請求項２に記載した発明によれば、前記透過性窓部を着色することができ、装飾性、デザイン性に富み、商品性が高く差別化が可能な車両用表示装置を提供することができる。
【００１２】
また、請求項３に記載した発明によれば、前記透過性窓部の光の透過率を調整することができる。
【００１３】
また、請求項４に記載した発明によれば、前記表示部を透過照明することができる。
【００１４】
また、請求項５に記載した発明によれば、前記表示部を均一で良好に照明することができる。
【発明を実施するための最良の形態】
【００１５】
以下、添付図面に基づいて本発明の実施形態を説明する。図１〜図３は、本発明の第１実施形態を示すもので、以下、これらに基づいて本発明の第１実施形態を例えば車両に搭載される車両用表示装置に適用した場合について説明する。
【００１６】
図１〜図３において、本実施形態による車両用表示装置１は、表示手段２と、ケース３とで構成されている。
【００１７】
表示手段２は車両情報を表示するものである。車両情報としては、車両の速度、エンジンの回転数、エンジン冷却水温および燃料残量などがある。本実施形態では、表示手段２は、車両の速度を主に表示するものであり、指針式の表示手段２である。この指針式の表示手段２は、指針２ａ、文字板２ｂ、計器本体２ｃおよび回路基板２ｄで構成されている。
【００１８】
指針２ａは文字板２ｂあるいはケース３に設けた後述する表示部を指示するものであり、計器本体２ｃと回転軸２ｅによって連結されている。
【００１９】
文字板２ｂは円板形状であり、指針２ａが指示する図示しない表示意匠を備えている。
【００２０】
計器本体２ｃは指針２ａを回転駆動するものであり、交差コイル式計器本体やステッピングモータなどが好適である。
【００２１】
回路基板２ｄは基材がガラスエポキシ樹脂などからなる硬質の基板であり、その表面に銅などの導電性材料からなる図示しない配線パターンを備えている。この配線パターンは計器本体２ｂと電気的に接続している。また、この回路基板２ｄには、ケース３の後述する表示部を照明する光源４が設けられている。
【００２２】
ケース３は表示手段２を収納する外装部品であり、下ケース３ａと上ケース３ｂの２つの部材で構成されている。下ケース３ａは合成樹脂から構成されている。上ケース３ｂは、表示手段２を視認可能とする透過性窓部５とその周囲を囲む縁部６とから構成されている。縁部６は所定の意匠が形成された表示部７を備えており、表皮部８と支持体９とで構成されている。
【００２３】
表皮部８はポリカーボネイトなどの透明な合成樹脂からなり、表皮部８は平らな板を圧空形成などの行程を経て、図２に示すような立体的な形状としたものである。表皮部８の表面側あるいは裏面側に印刷によって表示部７が形成されている。表示部７は光を透過するものであるが、表示部７以外の地の部分７ａは光を遮るインクによって印刷形成されたもので、光が漏れない構造である。表示部７は本実施形態では、表示手段２の指針２ａが指示する目盛を構成している。なお、表示部７は、目盛に限定されるものではなく、文字や記号などであってもよい。
【００２４】
支持体９は透過性窓部５と同一材料からなり、表皮部８を金型に固定した状態で、透過性窓部５と支持体９とを構成する合成樹脂を射出成形して透過性窓部５と支持体９とを一体に形成する。以上により、表皮部８と支持体９とは分離不可能に密着している。また、支持体９は表示部７の裏面側に拡散部１０を備えている。この拡散部１０は凹凸からなり、拡散部１０の背後に設けた光源４からの光を拡散し、この拡散した光で表示部７を透過照明するものである。この拡散部１０によって、表示部７を均一で良好に透過照明することができる。
【００２５】
以上のように構成したことによって、装飾性、デザイン性に富み、商品性が高く差別化が可能な車両用表示装置１を提供することができる。
【００２６】
次に本発明の第２実施形態を図４、５を用いて説明する。なお、前記実施形態と同一及び相当個所には同一符号を付してその詳細な説明は省略する。
【００２７】
本実施形態では、縁部６とともに透過性窓部５にも表皮部１８を設け、この表皮部１８に光が透過する着色層１１を設けたものである。この着色層１１は印刷によって形成したものである。この着色層１１を設けたことで、装飾性、デザイン性に富み、商品性が高く差別化が可能な車両用表示装置１を提供することができる。
【００２８】
また、着色層１１を暗色とすることで、光の透過率を抑えることができる。また、着色層１１の暗色の濃度を変更することで、光の透過率を調整することができる。暗色の色としては、例えば、黒や紺などが一般的であるが、車両用表示装置１によって適宜自由に設定可能である。
【００２９】
なお、前記各実施形態においては、表示手段２は指針２ａを備えた指示計器であったが、前記実施形態に限定されるものではなく、例えば、液晶表示素子を用いた表示手段であってもよい。
【図面の簡単な説明】
【００３０】
【図１】本発明の第１実施形態の車両用表示装置の正面図。
【図２】図１中Ｘ−Ｘ線の断面図。
【図３】同実施形態の要部拡大断面図。
【図４】同発明の第２実施形態の車両用表示装置の断面図。
【図５】同実施形態の要部拡大断面図。
【符号の説明】
【００３１】
１    車両用表示装置
２    表示手段
３    ケース
３ａ  下ケース
３ｂ  上ケース
４    光源
５    透過性窓部
６    縁部
７    表示部
８、１８  表皮部
９    支持体
１０    拡散部
１１    着色層
【図１】
2008292340.tif 000003
【図２】
2008292340.tif 000004
【図３】
2008292340.tif 000005
【図４】
2008292340.tif 000006
【図５】
2008292340.tif 000007